(57)【特許請求の範囲】
【請求項１】
便器と、
該便器上に載置される便座と、
人体局部を洗浄する洗浄手段と、
該洗浄手段を備えた本体と、
該本体の操作部近傍に開口された開口部と、
該開口部に係合可能で、仕向地にあった様々な操作部の形状のスイッチカバーと、
該操作部下方にスイッチが配設された基板と、
前記スイッチを押圧により切替可能とするキートップと、
該キートップの押圧される側に有するフィルムと、を備え、
前記キートップが前記本体と一体成形されると共に、前記スイッチカバーは前記フィルムと一体成形され、
前記スイッチカバーには爪部が形成され、前記開口部には前記爪部と係合する引掛部が形成され、
仕向地にあった様々な操作部の形状の前記スイッチカバーの前記爪部と前記引掛部の係合位置は変わらない
ことを特徴とする人体局部洗浄装置。
【請求項２】
便器と、
該便器上に載置される便座と、
人体局部を洗浄する洗浄手段と、
該洗浄手段を備えた本体と、
該本体の操作部近傍に開口された開口部と、
該開口部に係合可能で、仕向地にあった様々な操作部の形状のスイッチカバーと、
該操作部下方にスイッチが配設された基板と、
前記スイッチを押圧により切替可能とするキートップと、
該キートップの押圧される側に有するフィルムと、を備え、
前記スイッチカバーは、前記キートップ及び前記フィルムと一体成形され、
前記スイッチカバーには爪部が形成され、前記開口部には前記爪部と係合する引掛部が形成され、
仕向地にあった様々な操作部の形状の前記スイッチカバーの前記爪部と前記引掛部の係合位置は変わらない
ことを特徴とする人体局部洗浄装置。
【請求項３】
便器と、
該便器上に載置される便座と、
人体局部を洗浄する洗浄手段と、
該洗浄手段を備えた本体と、
該本体の操作部近傍に開口された開口部と、
該開口部に係合可能で、仕向地にあった様々な操作部の形状のスイッチカバーと、
該操作部下方にスイッチが配設された基板と、
前記スイッチを押圧により切替可能とするキートップと、
該キートップの押圧される側に有するフィルムと、を備え、
前記キートップが前記基板と前記本体の間に配設されると共に、前記スイッチカバーは前記フィルムと一体成形され、
仕向地にあった様々な操作部の形状の前記スイッチカバーの前記爪部と前記引掛部の係合位置は変わらない
ことを特徴とする人体局部洗浄装置。
【発明の詳細な説明】
【０００１】
【発明の属する技術分野】
本発明は、洗浄ノズルを有した人体局部洗浄装置に関し、詳しくはこの人体局部洗浄装置における人体局部の洗浄、乾燥、脱臭等の機能を操作する操作部を備えた人体局部洗浄装置に関する。
【０００２】
【従来の技術】
従来より、図７に示すごとくの人体局部洗浄装置９がある。この人体局部洗浄装置９は、同図に示すごとく、少なくとも洗浄ノズル６１、６２等よりなる洗浄手段６と温風乾燥手段（図示略）とを有する本体１０を主体として構成されている。本体１０には、洗浄手段６、温風乾燥手段等を操作するための操作スイッチパネル９５を側部の上方に設けてある。なお本体１０は、便座８１、便蓋８２をも備え、陶器製の便器８３の上方に配設される。
【０００３】
【発明が解決しようとする課題】
ところが、一般の人体局部洗浄装置に対して、ホテル向け、グレード別、仕向地毎に外観を変えて製品の差別化を図りたい場合、従来は、操作部のフィルムの表面形状や、色を変えてフィルムを貼り替えることのみしかできず、人体局部洗浄装置の操作部の外観自体の差別化を行うことが困難であった。
【０００４】
本発明は上記課題を解決したもので、１つの機種で操作部の形状やデザインを自由に変えることができる構造にすることにより、ホテル向け、仕向地、グレード毎により外観意匠の差別化が可能となる人体局部洗浄装置を提供するものである。
【０００５】
【課題を解決するための手段】
上記技術的課題を解決するために、本発明の請求項１において講じた技術的手段（以下、第１の技術的手段と称する。）は、便器と、該便器上に載置される便座と、人体局部を洗浄する洗浄手段と、該洗浄手段を備えた本体と、該本体の操作部近傍に開口された開口部と、該開口部に係合可能で、仕向地にあった様々な操作部の形状のスイッチカバーと、該操作部下方にスイッチが配設された基板と、前記スイッチを押圧により切替可能とするキートップと、該キートップの押圧される側に有するフィルムと、を備え、前記キートップが前記本体と一体成形されると共に、前記スイッチカバーは前記フィルムと一体成形され、前記スイッチカバーには爪部が形成され、前記開口部には前記爪部と係合する引掛部が形成され、仕向地にあった様々な操作部の形状の前記スイッチカバーの前記爪部と前記引掛部の係合位置は変わらないことを特徴とする人体局部洗浄装置である。
【０００６】
上記第１の技術的手段による効果は、以下のようである。
【０００７】
即ち、１つの機種で操作部の形状やデザインを自由に変えることができる構造にすることにより、ホテル向け、仕向地、グレード毎により外観意匠の差別化が可能といった効果を有する。また本体と一体成形されたキートップであるため、部品点数も少なく、コスト的に有利であるといった効果を有する。
【０００８】
上記技術的課題を解決するために、本発明の請求項２において講じた技術的手段（以下、第２の技術的手段と称する。）は、便器と、該便器上に載置される便座と、人体局部を洗浄する洗浄手段と、該洗浄手段を備えた本体と、該本体の操作部近傍に開口された開口部と、該開口部に係合可能で、仕向地にあった様々な操作部の形状のスイッチカバーと、該操作部下方にスイッチが配設された基板と、前記スイッチを押圧により切替可能とするキートップと、該キートップの押圧される側に有するフィルムと、を備え、前記スイッチカバーは、前記キートップ及び前記フィルムと一体成形され、前記スイッチカバーには爪部が形成され、前記開口部には前記爪部と係合する引掛部が形成され、仕向地にあった様々な操作部の形状の前記スイッチカバーの前記爪部と前記引掛部の係合位置は変わらないことを特徴とする人体局部洗浄装置である。
【０００９】
上記第２の技術的手段による効果は、以下のようである。
【００１０】
即ち、１つの機種で操作部の形状やデザインを自由に変えることができる構造にすることにより、ホテル向け、仕向地、グレード毎により外観意匠の差別化が可能といった効果を有する。またスイッチカバーと一体成形されたキートップであるため、部品点数も少なく、コスト的に有利であるといった効果を有する。
【００１１】
上記技術的課題を解決するために、本発明の請求項３において講じた技術的手段（以下、第３の技術的手段と称する。）は、便器と、該便器上に載置される便座と、人体局部を洗浄する洗浄手段と、該洗浄手段を備えた本体と、該本体の操作部近傍に開口された開口部と、該開口部に係合可能で、仕向地にあった様々な操作部の形状のスイッチカバーと、該操作部下方にスイッチが配設された基板と、前記スイッチを押圧により切替可能とするキートップと、該キートップの押圧される側に有するフィルムと、を備え、前記キートップが前記基板と前記本体の間に配設されると共に、前記スイッチカバーは前記フィルムと一体成形され、仕向地にあった様々な操作部の形状の前記スイッチカバーの前記爪部と前記引掛部の係合位置は変わらないことを特徴とする人体局部洗浄装置である。
【００１２】
上記第３の技術的手段による効果は、以下のようである。
【００１３】
即ち、１つの機種で操作部の形状やデザインを自由に変えることができる構造にすることにより、ホテル向け、仕向地、グレード毎により外観意匠の差別化が可能といった効果を有する。また、機能毎にキートップを使い分けることができるので、グレード毎の対応が充実できる。つまりキートップのみの色を変更することにより操作表示部の色を替えることも可能となる。また、乾燥なし仕様の場合は乾燥部のキートップをなくすことにより乾燥の使用が出来なくするといった自由度を有する。
【００１７】
【発明の実施の形態】
以下、本発明の実施例について、図面に基づいて説明する。
【００１８】
本発明の人体局部洗浄装置１は、図１に示すごとく、洗浄手段６と温風乾燥手段（図示略）とを有する本体１０と、本体１０に設けた本体スイッチパネル２とよりなる。
【００１９】
上記各手段は本体スイッチパネル２により操作できるように構成してある。上記本体１０は、洗浄ノズル６１、６２等よりなる洗浄手段６、温風乾燥手段を有している。また本体１０は、便座８１、便蓋８２を備え、陶器製便器８３の上方に配置してある。
【００２０】
図２は図1の人体局部洗浄装置１の本体１０の操作部を拡大した図面である。本体１０の側部上面には、上記本体スイッチパネル２を配置してある。この本体スイッチパネル２は、図２に示すごとく、肛門洗浄、ビデ洗浄、温風乾燥等の作動をストップさせるストップボタン２０、肛門洗浄用操作ボタン２１、ビデ洗浄用操作ボタン２２、温風を吹き出させるドライボタン２３が配設されている。
【００２１】
また、洗浄の広がりを調整するためのワイド洗浄入／切ボタン２４、洗浄位置洗浄強さを調整調整ボタン２５、便座の温度の高さを調整するための便座ボタン２６、シャワー等の水温を調整する温水ボタン２７が配置されている。
【００２２】
図３は本体１０内部に搭載される操作装置の図２のＡ−Ａ線断面図である。図２及び図３において、本体１０の操作部近傍に開口された開口部３０が形成されている。開口部３０には、この開口部３０と爪部により、係合可能なスイッチカバー４０が配設されている。このスイッチカバー４０の上面には洗浄スイッチ等が印刷されたフィルムＦが貼付されている。
【００２３】
図3に示すように、この本体１０の操作部下方にはスイッチＳが配設された基板５０が配設されている。この基板５０にはスイッチＳ以外に発光ダイオードＤ、抵抗等の各種部品が配設されている。
【００２４】
また、この本体１０と一体成形された合成樹脂からなるキートップ６０がスイッチカバー４０の下方に配設されている。このキートップ６０は、押圧部６１がヒンジ部６２を介して一体成形されている。使用者がこの押圧部６１を押圧することによりスイッチＳが切換可能となる。またキートップ６０には円筒部６２一体成形され、この円筒部６２内に前記の発光ダイオードＤが挿入されている。この押圧部６１、スイッチＳが切り替わることにより円筒部６２の内側に配置された発光ダイオードＤが点灯、非点灯され、フィルムＦ上に押圧した機能の表示部分が点灯する。
【００２５】
なお図２に示すように合成樹脂材料のキートップ６０は２本のヒンジ部６２から一体形成されており、キートップ６０の押圧部６１を上方向から押圧してもその弾性力で元の位置に戻る構成となっている。また、図３に示すように、このスイッチＳの直上に位置されるスイッチカバー４０には窓４１が形成されている。スイッチカバー４０には、洗浄や乾燥等の文字が印刷されたフィルムＦが接着剤（あるいは樹脂金型でスイッチカバーと一体成形等）で接着されている。窓４１を覆うフィルムＦの文字部分は、所謂エンボス加工（膨らみをもたせる加工）され、キートップ押圧部６１を容易に押圧できるようになっている。
【００２６】
スイッチＳは、押圧された押圧部６１に連動されてスイッチＳの可動部Ｓ１が突没されることでスイッチング作用される。更に、基板５０は図外の制御装置と接続され、人体局部洗浄装置１の各機能を操作可能に構成されている。
【００２７】
キートップ６０には爪部６３が形成され、この爪部６３に基板５０が載置されてビスＢによって固定（図２）されている。
【００２８】
上記構成により、フィルムＦの上から指等によりキートップ押圧部６１を押圧すると、可動部Ｓ１が連動してスイッチＳを動作させ、対応する機能を操作できることになる。なお、図３の操作面を構成する文字部分の文字等は長期使用による文字消えを回避するため、フィルムＦの裏面に印刷層の手段によって付与されている。このためフイルムＦは透明素材が用いられる。
【００２９】
スイッチカバー４０は図３に示すようにスイッチカバー４０の先端に爪部４２を形成し、キートップ６０と一体となった本体１０の引掛部１１にこの爪部４２を挿入することにより、爪部４２が弾性変形してワンタッチでスイッチカバー４０の引掛部１１と係合することができる。その結果、スイッチカバー４０が開口部３０を覆いワンタッチで両部材が係合される。
【００３０】
図４は本発明のスイッチカバー６０を合成樹脂により成形する製造方法を示した図である。なお爪部等は図示していない。図４の（ａ）において、固定側金型Ｋ１と可動側金型Ｋ２との間に印刷されたフィルムＦを挿入し、図４の（ｂ）に示すように、固定側金型Ｋ１と可動側金型Ｋ２を閉じ、図示しない射出成形機により可動側金型Ｋ２のゲートＧ２から溶融された合成樹脂材料を射出成形する。合成樹脂材料は固定側金型Ｋ１のゲートＧ１により、固定側金型Ｋ１と可動側金型Ｋ２との間に形成されたキャビティＣ内にこの合成樹脂材料が充填されてフィルムＦとスイッチカバー６０が一体に形成される。
【００３１】
次に可動側金型Ｋ１、固定側金型Ｋ２を冷却することにより図４（ｃ）に示すようなフィルムＦが貼付されたスイッチカバー６０が形成される。
【００３２】
本発明は上記したように、本体１０の開口部の引掛部１１とスイッチカバー６０の取付け位置構造を変えない限り、スイッチカバー６０の形状を変えるだけで、仕向地にあった形状（様々な操作部の形状）を形成するのみで可能となる。つまり、スイッチカバー６０の金型を変えるのみであり、本体１０全体の構造及びその金型を変える必要がなく、コスト的に大幅にダウンとなる。
【００３３】
図５は本発明の第２実施例を示す図である。本体１０の操作部近傍に開口された開口部１３０と、この開口部１３０に係合可能なスイッチカバー１４０が配設されている。また操作部下方にはスイッチＳが配設された基板５０が配設されている。このスイッチカバー１４０の押圧部材１４１の押圧によりスイッチＳが切換可能となっている。この第２実施例の特徴はキートップとスイッチカバー１４０が一体となっている。それゆえ、コスト的にも低減できる。またスイッチカバー１４の爪部１４２は本体１１０の引掛部１１１と係着される。
【００３４】
図６は本発明の第3実施例である。本体２１０の操作部近傍に開口された開口部２３０と、この開口部２３０に係合可能なスイッチカバー２４０が配設されている。この操作部下方にはスイッチＳが配設された基板５０と、この基板５０と本体２１０との間に配設されたキートップ２６０が配設されている。このキートップ２６０の押圧によりスイッチＳが切換可能となる。この第３実施例の特徴はキートップ２６０、スイッチカバー２４０、本体２１０が別体となった構造である。スイッチカバー２４０の爪部２４２は本体２１０の引掛部２１１と係着される。
【００３５】
【発明の効果】
本発明は、以下の如く効果を有する。
【００３６】
本体を共通化した１つの機種においても、スイッチカバーを取り替えるだけで、操作部の形状やデザインを自由に変えることができる構造にすることにより、ホテル向け、仕向地、グレード毎により外観意匠の差別化ができる効果を有する。また、スイッチカバーと、キートップの押圧される側に配置される側のフィルムとが一体成形されているため、低コストになる効果を有する。
【図面の簡単な説明】
【図１】本発明の人体局部洗浄装置の全体斜視図。
【図２】本発明の図1の操作部の拡大斜視図。
【図３】図２のＡ−Ａ線断面図。
【図４】本発明のカバープレートとフィルムを一体に成形して製造するカバープレートの製造方法。
【図５】本発明の第２実施例を示す操作部の断面図。
【図６】本発明の第３実施例を示す操作部の断面図。
【図７】従来の人体局部洗浄装置の全体斜視図
【符号の説明】
８３…便器
８１…便座
６…洗浄手段
１０…本体
３０…開口部
４０…スイッチカバー
Ｓ…スイッチ
５０…基板
６０…キートップ
１…人体局部洗浄装置
【図１】
0004517408.tif 000002
【図２】
0004517408.tif 000003
【図３】
0004517408.tif 000004
【図４】
0004517408.tif 000005
【図５】
0004517408.tif 000006
【図６】
0004517408.tif 000007
【図７】
0004517408.tif 000008